(57)【要約】【課題】            アンカーボルト近傍の箇所の損傷を防ぐことができる土台受具および該土台受具を用いた土台受け構造を提供する。【解決手段】        木造建築の基礎天端１０ａに載置可能な基台部２１と、該基台部２１から上方へ突出する受部２２とから一体に構成され、基台部２１の略中心には、基礎天端１０ａから突出するアンカーボルト１１に対し螺合可能な雌螺子部２１ｃ１が設けられている。【選択図】          図１
0003128137.tif 000002
【実用新案登録請求の範囲】
【請求項１】
木造建築の基礎天端に載置可能な基台部と、該基台部から上方へ突出する受部とから一体に構成され、基台部の略中心には、基礎天端から突出するアンカーボルトに対し螺合可能な雌螺子部が設けられていることを特徴とする土台受具。
【請求項２】
上記受部における上部側が略半球状に形成されていることを特徴とする請求項１記載の土台受具。
【請求項３】
天端から上方へアンカーボルトを突出させている基礎と、
前記アンカーボルトに上記雌螺子部を螺合させた上記土台受具と、
上記土台受具における上記受部に対し上方から嵌り合う土台とを備え、
上記基礎と前記土台との間に隙間を形成していることを特徴とする請求項１又は２記載の土台受具を用いた土台受け構造。
【考案の詳細な説明】
【技術分野】
【０００１】
本考案は、木造建築における土台と基礎の間に介在されて土台を受ける土台受具、および該土台受具を用いた土台受け構造に関するものである。
【背景技術】
【０００２】
従来、この種の技術には、例えば、特許文献１に記載されたもののように、基礎天端から上方へ突出するアンカーボルトを土台に貫通させ、基礎天端と土台との間にモルタル等によって隙間を設けるとともに、アンカーボルトの先端側にナットを締め付けることで、土台を基礎に対し固定するようにした構造がある。
【０００３】
しかしながら、上記従来技術によれば、土台と基礎との間が柔軟性の無い構造であるため、地震等の衝撃や振動を受けた際に、基礎がアンカーボルトを埋め込んだ箇所で破損したり、土台がアンカーボルトを貫通させた箇所で割れたり、あるいは、土台と基礎との間の上記モルタルが割れたり等、アンカーボルト近傍の箇所が損傷してしまうおそれがある。これらの問題は、基礎や上記モルタル、土台等が経年変化により劣化した場合に、特に著しい。
【特許文献１】特開平７−１１３３２８号公報
【考案の開示】
【考案が解決しようとする課題】
【０００４】
本考案は上記従来事情に鑑みてなされたものであり、その課題とする処は、アンカーボルト近傍の箇所の損傷を防ぐことができる土台受具および該土台受具を用いた土台受け構造を提供することにある。
【課題を解決するための手段】
【０００５】
上記課題を解決するために第一の考案の土台受具では、木造建築の基礎天端に載置可能な基台部と、該基台部から上方へ突出する受部とから一体に構成され、基台部の略中心には、基礎天端から突出するアンカーボルトに対し螺合可能な雌螺子部が設けられていることを特徴とする。
【０００６】
また、第二の考案の土台受具では、上記受部における上部側が略半球状に形成されていることを特徴とする。
【０００７】
また、第三の考案の土台受け構造では、天端から上方へアンカーボルトを突出させている基礎と、前記アンカーボルトに上記雌螺子部を螺合させた上記土台受具と、上記土台受具における上記受部に対し上方から嵌り合う土台とを備え、上記基礎と前記土台との間に隙間を形成していることを特徴とする。
【考案の効果】
【０００８】
本考案は、以上説明したように構成されているので、以下に記載されるような作用効果を奏する。
第一及び第三の考案によれば、アンカーボルトに対し基台部を螺合させ、上方向きの受部に対し、土台を嵌め合わせて載せれば、これら基礎と土台とを柔軟な構造で嵌合することができる。
したがって、地震等による衝撃や振動を受けた際に、その衝撃や振動のエネルギーを、受部に対する土台の微動によって、逃がすことができる。
ひいては、基礎や土台等、アンカーボルト近傍の箇所が損傷してしまうようなことを、長期間にわたり防ぐことができる。
【０００９】
更に、第二の考案によれば、受部に対し土台を、一層柔軟に嵌合することができ、ひいては、地震等による衝撃や振動のエネルギーを、より効果的に逃がすことができる。その上、受部が略半球状であるため、土台の水平方向位置を矯正して正確に位置決めすることができる。
【考案を実施するための最良の形態】
【００１０】
以下、本考案の実施の形態を図面に基づいて説明する。
この土台受け構造１は、天端から上方へアンカーボルト１１を突出させている基礎１０と、前記アンカーボルト１１に雌螺子部２１ｃ１を螺合させた土台受具２０と、該土台受具２０の受部２２の上側部分に対し上方から嵌り合う土台３０とを備え、基礎１０と土台３０との間に隙間Ｓを形成している。
【００１１】
基礎１０は、コンクリート成形により例えば断面逆Ｔ字状等に形成されており、内部には図示しない鉄筋を有し、上方へ立ち上がる天端１０ａ側には、上方向きにアンカーボルト１１が埋め込まれている。
【００１２】
アンカーボルト１１は、基礎１０から露出される一端側部分に雄螺子部を有するとともに、その他端側に図示しない抜け止め部を有する金属製の部材である。
このアンカーボルト１１の前記一端側は、基礎１０から上方へ突出して、後述する土台受具２０を螺合するように、適宜な長さに形成されている。
なお、このアンカーボルト１１は、予め前記長さに加工されたものであってもよいのは勿論のこと、土台３０を貫通する一般的なアンカーボルト１１を切断したものであってもよい。
【００１３】
また、土台受具２０は、基礎天端１０ａに載置可能な基台部２１と、該基台部２１から上方へ突出する受部２２とから一体に構成されている。
この土台受具２０の基台部２１および受部２２の材質は、耐腐食性や強度に優れた材料であればよく、例えば、金属材料や、セラミック材料、合成樹脂材料等とすればよく、本実施の形態によれば、特に好ましい態様としてステンレス材を用いている。
【００１４】
基台部２１は、平面視略円盤状の金属板であり、その略中心部には、アンカーボルト１１を遊挿可能な貫通孔２１ｂが形成され、後述する受部２２内に位置する上面部の略中心には、前記貫通孔２１ｂと連通するように、ナット２１ｃが溶接されることで、雌螺子部２１ｃ１が構成されている。
【００１５】
受部２２は、上記基台部２１に対し同心状に溶接された略円筒中空状の円筒部２２ａと、この円筒部２２ａから上方へ連続する略半球中空状の半球部２２ｂとから一体に構成されている。
この受部２２内の空間は、螺合された上記アンカーボルト１１の上端側を内在するための空間である。
【００１６】
なお、受部２２の他例としては、前記と同形状の中実状に形成するとともに、その中心部にアンカーボルト１１を螺合させるための螺子部を形成するようにしてもよいが、本実施の形態では、前記のように中空状にすることで、土台受具２０を軽量化し、その取り扱い性を良好にしている。
【００１７】
また、土台３０は、断面略正方形状であって基礎１０の長手方向へわたる長尺状の角材であり、その下面部には、上記受部２２の半球部２２ｂを嵌め合わせるための凹部３１が形成されている。
この凹部３１は、専用治具等を用いて、受部２２の半球部２２ｂにならう略半球状に加工されている。また、この凹部３１の深さは、土台３０と基礎１０との間に、通気等のための隙間Ｓ（例えば上下方向寸法が２０ｍｍ程度）が確保されるように、適宜に設定されている。
【００１８】
次に、上記構成の土台受け構造１の施工手順について、詳細に説明する。
先ず、基礎１０から上方へ突出するアンカーボルト１１に対し、土台受具２０が螺合される。この際、土台受具２０は、手でもって容易に螺合させることができる。そして、螺合された土台受具２０の底面（詳細には基台部２１）が基礎１０の天端１０ａに当接されることで、土台受具２０は固定される。
【００１９】
そして、図３に示すように、土台受具２０の半球部２２ｂに対し、その上方から土台３０が載置される。この際、土台３０の凹部３１が半球部２２ｂに嵌め合わせられる。この状態において、土台３０と基礎１０の天端１０ａとの間には、隙間Ｓが確保される。
【００２０】
この隙間Ｓは、主に通気空間として作用するが、土台１０と土台受具２０との接合箇所の柔軟性を良好にする作用も奏している。
すなわち、仮に隙間Ｓを全く設けない構成とした場合には、土台１０の微動を抑制してしまうことになるが、図指例のように、隙間Ｓを有する構成によれば、半球部２２ｂを中心とした土台１０の微動が可能となる。
【００２１】
そして、上記手順で構成される土台受け構造１は、基礎１０および土台３０の長手方向において、例えば、９００ｍｍピッチで配設される。
【００２２】
よって、上記構成の土台受け構造１によれば、アンカーボルト１１に対し土台受具２０を螺合し、その土台受具２０上に土台３０を載置するという簡単な作業によって、土台３０を基礎１０に対し固定することができる。
なお、土台３０と土台受具２０は、土台３０上に構築される建築物の重量によって押圧されるため、容易に離間するようなことがない。
また、地震等の衝撃や振動を受けた際には、土台３０が土台受具２０に対し微動するため、その微動によって、前記衝撃や振動のエネルギーを逃がすことができる。
したがって、基礎１０におけるアンカーボルト１１の周囲や、土台３０におけるアンカーボルト１１の近傍等、アンカーボルト１１近傍にひび割れ等の損傷が生じるのを防ぐことができる。
【００２３】
次に、本考案に係わる土台受具および該土台受具を用いた土台受け構造の他例について説明する。なお、以下に示す態様において、上記土台受け構造１と略同様の箇所については、同一の符号を付けることで詳細な説明を省略する。
【００２４】
図４（ａ）に示す土台受け構造２は、上記土台受け構造１における土台受具２０を土台受具２０’に置換するように構成したものである。
土台受具２０’は、土台受具２０における受部２２を受部２２’に置換したものである。
受部２２’は、底部を上方へ向けた有底円筒状に形成されている。
土台３０には、受部２２’の上部側の外表面にならうように略円筒状の凹部３１’が形成されている。
この土台受け構造２によれば、土台受け構造１同様に土台３０の設置作業を容易にするとともに、アンカーボルト１１近傍の損傷を防ぐことができる上、凹部３１’の加工を土台受け構造１の場合と比較して容易にすることができる。
なお、アンカーボルト１１近傍の損傷を防ぐ観点においては、前記土台受け構造２よりも上記土台受け構造１の方が好ましい。
【００２５】
また、図４（ｂ）に示す土台受け構造３は、上記土台受け構造１における土台３０の凹部３１を、凹部３１”に置換した構成とされる。
凹部３１”は、その内面を土台受具２０の半球部２２ｂに対し接触する略円錐状に形成してある。
この土台受け構造３では、半球部２２ｂと略円錐状の凹部３１”とが略線接触して、土台受具２０上に土台３０が支持されるため、その支持構造がより柔軟なものとなる。
【図面の簡単な説明】
【００２６】
【図１】本考案に係わる土台受具および該土台受具を用いた土台受け構造の一例を示す断面図である。
【図２】本考案に係わる土台受具の一例を示す斜視図である。
【図３】土台受具に対し土台を嵌め合わせようとしている状態を示す断面図である。
【図４】本考案に係わる土台受具および該土台受具を用いた土台受け構造の他例を、（ａ）（ｂ）のそれぞれに示す断面図である。
【符号の説明】
【００２７】
１，２，３：土台受け構造
１０：基礎
１０ａ：基礎天端
１１：アンカーボルト
２０：土台受具
２１：基台部
２１ｃ１：雌螺子部
２２，２２’：受部
３０：土台
３１，３１’，３１”：凹部
【図１】
0003128137.tif 000003
【図２】
0003128137.tif 000004
【図３】
0003128137.tif 000005
【図４】
0003128137.tif 000006